Podtech/llm-jp-corpus-v4-ja_patent huggingface dataset:
(57)【要約】【課題】テープを使用し、細長い電線等を束ねる場合は、一般的に手作業によることが多く、作業者の熟練が必要で、人の固定化が起こり、又作業者の疲労が強く起こっていた。機械化の場合はコンパクトの機械がないので作業性が悪かった。【解決手段】テープをテープ補給機により、小さなテープ巻きを直接、テープ巻付機に装着移行することにより、装置がコンパクトになり、作業性が向上し、熟練者でなく誰でも作業することが可能になり、生産性が向上し、生産管理がし易くなった。【選択図】図３
2013172549.tif 000002
【特許請求の範囲】
【請求項１】
線条体をテープで束ねる場合において、モータ取付けベースにモータを設け、該モータの回転軸には３つの傘歯車が設置され、モータに隣接して設けた下部カバーに軸支された、複数の回転保持具により保持された回転体が、前記傘歯車の１つに設置されたベルトを介して回転するように設置され、前記回転体とこの回転体の一部は、被処理材を載置する処理材受けが形成されると共に、前記回転体には軸支された回転自在に設けられたテープ巻取り軸を有し、前記テープ巻取り軸に小径テープ巻が設置された後小径テープの一端を線条体に貼付後回転体が線条体の周囲を回転することによりテープ巻付けする一方、ベースの上部に設けられた上部カバーには作業用棒を固設し、作業用棒の上面には前記モータの回転を始動、停止するためのスイッチを設けたことを特徴とする線条体のテープ巻取り装置。
【発明の詳細な説明】
【技術分野】
【０００１】
本発明は電線のテープ巻付機に関する。
【背景技術】
【０００２】
電線をテープ巻きする場合、一般的に手作業によって巻付けることが主流であるが、作業者の疲労が多く作業に熟練が必要であり、機械式の場合は高価であり、装置が大形でハンディー型でなかった。
【発明の概要】
【発明が解決しようとする課題】
【０００３】
従来は手作業によるテープ巻付けが主流であり、テープは市販のテープをそのまま使用するのが一般的で、機械式も同様であった。機械式の場合はテープを回転する場合は装置全体が大形になり、テープの振動が大きく、作業性が悪くなり、使用されることが減少していた。
【課題を解決するための手段】
【０００４】
線条体をテープで束ねる場合において、モータ取付けベースにモータを設け、該モータの回転軸には３つの傘歯車が設置され、モータに隣接して設けた下部カバーに軸支された、複数の回転保持具により保持された回転体が、前記傘歯車の１つに設置されたベルトを介して回転するように設置され、前記回転体とこの回転体の一部は、被処理材を載置する処理材受けが形成されると共に、前記回転体には軸支された回転自在に設けられたテープ巻取り軸を有し、前記テープ巻取り軸に小径テープ巻が設置された後小径テープの一端を線条体に貼付後回転体が線条体の周囲を回転することによりテープ巻付けする一方、ベースの上部に設けられた上部カバーには作業用棒を固設し、作業用棒の上面には前記モータの回転を始動、停止するためのスイッチを設けたことを特徴とする線条体のテープ巻取り装置。
【発明の効果】
【０００５】
電線のテープ巻き付けは、手作業が一般的で、作業性が悪く、作業者が嫌がる作業で、自動化が難しい仕事であった。そし、ハンディー型の自動化装置は無かった。自動化により作業性が向上し、作業が短時間に終了するので作業者の疲労が少なく、作業の品質向上が計れる。又、熟練作業者の必要性がなくなり、生産工程の管理がしやすくなった。
【図面の簡単な説明】
【０００６】
【図１】テープをテープ補給機によってテープ巻付機に装着移行している図である。
【図２】電線にテープ巻付機によって巻付動作をしている図である。
【図３】本発明品であるテープ巻付機の全体を現す側面からみた概略図である。
【図４】本発明品であるテープ巻付機の上面から見た概略図である。
【発明を実施するための形態】
【０００７】
テープをテープ巻きする場合、テープ補給機を使い、高速自動でテープ巻付機に装着移行し、巻き取られたテープをテープ巻付機によって作業するものである。
以下、図面にもとづいて説明する。
【実施例】
【０００８】
図１、図２に沿ってテープ巻付機の全体構成を説明すると、テープ（１）はテープ保持具（２）に取付けられ、テープ保持具はテープ補給機用ベース（７）に取付けられる。テープの先端はテープ補給機用スタートスイッチ（３）を押すと、テープ補給機用コントロール装置（４）を介して、テープ巻取りモータ（５）がテープ巻付機連結金具（６）を介してテープ巻取り軸を回転して、一定の小径テープ巻を作成する。小径テープ巻が作成された後、テープ巻付機を手に取って電線（８）に巻付ける。
【０００９】
図２、図４に沿ってテープ巻付機の動作を説明すると、電動モータ（９）はテープ巻付けをするための動力で、モータ取付けベース（１０）はそのモータと全体のカバーを取付けるためのベースで２ヶの傘歯車（１１）はモータの回転方向を変換するための歯車で、軸（１２）はモータの回転力を伝達する軸で、その動力はベルト（１３）により、回転動力を伝え回転ローラ（１４）と回転保持具（１５）により、回転体（１６）の外周をベルトにより回転運動する事によりテープ巻付けをする。回転保持具は他に４ヶ設置して全体を保持する。
【００１０】
回転体は２ヶの連結軸（１７）により固定され、外部のテープ補給機により動力が、テープ補給機連結金具（１８）を介してテープ巻取り軸（１９）を回転し、その軸はテープ巻取り軸保持金具（２０）により、２ヶ所で保持され、小径テープ巻（２１）を作成する。
【００１１】
電線は回転体の凹部に装着されてスイッチ（２２）により、コントロール装置（２３）からケーブル（２４）を介してモータを駆動し回転検知センサ（２５）により、位置制御され回転体によりテープ巻きをする。上部カバー（２６）、下部カバー（２７）、先端カバー（２８）、後端カバー（２９）、及び作業用棒（３０）によって全体構成されている。
前記回転センサはテープ補給機よりテープ巻付機にテープを自動補給する場合回転体の位置制御を行い自動着脱を行うためのセンサであり又、巻付時に巻付量の制御を行うセンサである。
【産業上の利用可能性】
【００１２】
本発明の活用例として電線のテープ巻付けばかりでなく、巻付対象が細長い形状ならば、いろいろな物に転用が可能と考えられる。
【符号の説明】
【００１３】
1   テープ
2   テープ保持具
3   テープ補給機用スタートスイッチ
4   コントロール装置
5   テープ巻取りモータ
6   テープ巻付機連結金具
7   テープ補給機用ベース
8   電線
9   電動モータ
10  モータ取付けベース
11  傘歯車
12  軸
13  ベルト
14  回転ローラ
15  回転保持具
16  回転体
17  連結軸
18  テープ補給機連結金具
19  テープ巻取り軸
20  テープ巻取り軸保持具
21  小径テープ巻
22  スイッチ
23  コントロール装置
24  ケーブル
25  回転検知センサ
26  上部カバー
27  下部カバー
28  先端カバー
29  後端カバー
30  作業用棒
【図１】
2013172549.tif 000003
【図２】
2013172549.tif 000004
【図３】
2013172549.tif 000005
【図４】
2013172549.tif 000006
(57)【要約】【課題】組立が簡単で軽く折畳むとスリムながら、Ａ６判からＡ４判までの本や電子書籍端末が載置できる厚紙の読書台を提供する。【解決手段】厚紙を使った卓上型読書台で二台が連結し、中央で反転し、図４に示すように、天板が反転し半切となるような構造になっている。半切の場合はＢ５判までの本や電子書籍端末が載置できる。Ａ４判サイズの本を見開いて読む場合は天板が２台並ぶように元に戻して載置する。【選択図】図４
2013172933.tif 000002
【特許請求の範囲】
【請求項１】
厚紙から作られた図１の読書台の側端を図３（９）天板転折接続部で繋ぎ、折り畳んで、一枚の（１）天板の読書台にしたり、開いて二枚の天板を並べた読書台にして、Ａ６判サイズからＡ４判サイズの書籍または書類または雑誌を載置できる読書台。
【請求項２】
［図１］（２）梁と（７）脚部を固定するため天板裏側に貼り付けられた（３）脚部固定板に（４）梁保持板の（６）梁保持溝を梁の側端に密に挟み、梁の動きを固定する。
【発明の詳細な説明】
【技術分野】
【０００１】本発明は、卓上型読書台でＡ４判見開き幅（Ａ３判）まで載置可能である。そのほか、ｉ−ｐａｄ、電子ブック、スマートホンに到るまで載置可能で、年齢に関係なく、汎用性に富む読書台である。且つ使用しないときは、簡単に折畳んで本棚に、他の本同様に収納できる。
【背景技術】
【０００２】従来は、木製、プラスチック、針金などの素材で５０〜７０度ぐらいの傾斜の立掛け式の書見台でＢ５版サイズの書籍用が中心で、紙面は小板、クリップ、バネなどで押え、これによりページ捲りが難しくなったり、紙面を破いたり、時には頁めくりで本が外れたりする不便があった。長時間の読書では読書に集中できるよう書籍の安定的載置と肩がこらない天板の傾斜と、簡単な頁めくりが求められていた。また不使用時間に邪魔物になる場合が多かった。
【発明の開示】
【発明が解決しようとする課題】
【０００３】今日、市販されている書見台は書類の掲示が主で長時間の読書には色々の不便があり下記のような不具合をどれか一つは持っている。Ｂ５判書籍が主に載置できるが文庫本や新書は安定した載置が難しい。重くて分厚い辞書や六法全書に対応できない。頁めくりが難しく、時に本を傷める場合がある。肩が凝って長く読めないなどである。また、使用しないときに嵩張って卓上の邪魔になる。Ｉ−ｐａｄなどのような電子書籍端末に殆ど対応できないという欠点がある。
【課題を解決するための手段】
【０００４】厚紙を使用して、図２で示すような数点の部品で図１に示すような読書台を作る。読書台の（１）天板は１５度の傾斜を持ち読者の背筋を１５度背後に起こし、頭の肩への負担や胸筋の緊張を減らす。Ｂ５判サイズの天板を使う図１の読書台２台を図３に示す如く接続する。Ｂ５判書籍を見開いて読む場合は図４で示すように一方の読書台を折畳んで収納した後、他方の天板に転折して載せ、その上に（１０）上カバー兼用天板で蓋をし、これを天板として、書籍を載置する。【０００５】Ａ４判書籍を見開いて読む場合は、図５に示す如く２台の読書台の天板を１８０度に開いて読書台を組み立てる。【０００６】書籍や雑誌の安定的載置のために、天板の側端に適合する市販のクリップ、バネ挟みなど好みに合せて使うか、または出願人添田庄亮の特開２００９−２７９９１２で記載のナイロン糸を紙面を横断して、張り押さえる方法がある。【０００７】載置した書籍や雑誌の滑り止に、市販の滑り止シートを天板に貼ると書籍や雑誌が安定する。【０００８】書籍や雑誌の重さによる図１（１）天板の撓みは一対の（７）脚部と立体的に直交する（２）梁の一辺を天板に直角に接触させて撓みを抑える。【０００９】荷重やその他の応力による読書台のぐらつきは（７）脚部に起因するのでこのぐらつきを抑えるために［図２］（４）梁保持板（６）梁保持溝によって（７）脚部を（３）脚部固定板に直角に密に挟む。従って（７）脚部は脚部固定板に縦横に直角に固定されることになる。【００１０】読書台を使用しないで片付ける場合は、一対の読書台をそれぞれ［図３］の如く折畳み（９）天板転折接続部を、天板同士が背中合わせになるように折り曲げ平たくする。これを（１０）上カバー兼用天板（１２）下カバーの中に収納すると、外見上ブックカバーにはいった本のようになり、本棚に収納できる。
【発明の効果】
【００１１】本発明により、文庫本Ａ６判サイズ、分厚い六法全書から高校の教科書Ａ４判までの図書サイズまで一台の読書台で載置が可能となり、、姿勢良く長時間集中力をあげて読める。
【実施例１】
【００１２】Ｚ−ＫＡＩなどが発売するＡ４判よりやや小さい教科書や問題集は、全開した読書台で余裕をもって勉強できる。日本放送出版協会発行のきょうの健康雑誌も見開いて、手を放して読める。又東洋経済社などが出版する会社四季報は折り畳んだ単独の読書台で読める。
【図面の簡単な説明】
【００１３】
【図１】単独読書台組立図  後方斜視  本図は、一対の他方を切り離して、単独で組み立てた読書台で、後方からの斜視図である。（２）梁と一対の（７）脚部は立体的に（５）直交切込でお互に噛み合い読書台を立体的に構築する。（４）梁保持板は（３）脚部固定板の中央に位置し（２）梁と（６）梁保持溝を介して梁を脚部に直角に密に固定し動かぬように支えている。固定の方法は、例えばマジックテープで（３）脚部固定板に密着させる。または（８）脚部転折接続部と同じ接続方法で脚部固定板と梁保持板を繋ぐ。（７）脚部の形状は読書台組立時に１５度の傾斜角を天板が構成できるようにデザインされている。
【図２】折畳収納図  本図は単独読書台の場合の折畳収納図で天板の裏側に全部品は折り畳んで、収納される。（４）梁保持板は点線内に収納される。一対の（３）脚部固定版と一対の（７）脚部は（８）脚部転折接続部で接続し、脚部固定板は天板に糊付けされ脚部は天板に対して回転し直立する。
【図３】２台連結時の収納見開き図  図２単独の折畳収納図で示した収納図を（９）天板転折接続部で接合した２台の見開き図で、一台の図は繰り返しを避け半分に省略している。中央部にあるべき（４）梁保持板は省略している。
【図４】一台折畳後転折１台組立図  後方斜視  １台の天板の広さで読むべき書籍の載置が足りる場合他の１台を折畳み（９）天板転折接続部で１８０度回転させて（１）天板の上に畳み込みその上に（１０）上カバー兼用天板を被せ単独の読書台に変える。
【図５】２台連結時の読書台組立図  反転斜視図  正面図では天板のみの図になるのであえて反転図とした。
【符号の説明】
【００１４】（１）    天板                    （７）    脚部
（２）    梁                      （８）    脚部転折接続部
（３）    脚部固定板              （９）    天板転折接続部
（４）    梁保持板              （１０）    上カバー兼用天板
（５）    直交切込              （１１）    収納読書台
（６）    梁保持溝              （１２）    下カバー
【図１】
2013172933.tif 000003
【図２】
2013172933.tif 000004
【図３】
2013172933.tif 000005
【図４】
2013172933.tif 000006
【図５】
2013172933.tif 000007
(57)【要約】      （修正有）【課題】マスクを長時間装着すると耳の裏が痛くなってしまうのを回避する器具を提供する。【解決手段】耳栓、イヤホン、補聴器と同様に耳の穴又は耳介を使い、固定する形状の器具１にマスク２の紐を掛けられる形状を設ける。耳の穴又は耳介に器具１を固定してから、マスク２の紐を器具１の紐を掛けられる形状部分に掛けてマスク２を係止する。マスク２の紐は耳の裏に直接は装着されなくなるので、マスク２を長時間装着しても耳の裏が痛くなることがなくなる。【選択図】図１
2013172939.tif 000002
【特許請求の範囲】
【請求項１】
耳栓、イヤホン、補聴器と同様、耳の穴又は耳介を使い、固定する形状のものにマスクの紐を掛けられる形状を付けた器具。
本発明の構造は、耳栓、イヤホン、補聴器にも転用可能とする。
【発明の詳細な説明】
【技術分野】
【０００１】この発明は、マスクを装着する器具に関するものである。
【背景技術】
【０００２】風邪、インフルエンザ、アレルギー予防の為、マスクを長時間装着する状況が多い。
【発明の概要】
【発明が解決しようとする課題】
【０００４】マスクを長時間装着すると耳の裏が痛くなってしまう。
又、耳の裏を保護する対策や紐を延長にする対策は、美観を損ねてしまっていた。
【課題が解決するための手段】
【０００５】耳の穴又は耳介を使い、器具を固定し、紐を掛けられる形状を設け、マスクを装着する。
【発明の効果】
【０００６】マスク通常装着後、耳の裏が痛くなった場合において、本発明を使い、痛みを回避し、耳の裏の回復を待つ事ができる。
【図面の簡単な説明】
【０００７】
【図１】本発明の概略図である。
【図２】本発明の平面図である。
【発明を実施するための形態】
【０００８】以下、本発明（１）を実施するための形態について説明する。
耳の穴又は耳介を使い、器具を固定（３）し、マスク（２）の紐を掛けられる形状（４）を設ける。
本発明は、以上のような構造である。
【符号の説明】
【０００９】１  器具
２  マスク
３  耳と密着する部分
４  紐を掛ける部分
【図１】
2013172939.tif 000003
【図２】
2013172939.tif 000004
(57)【要約】【課題】  生前の情報を電子的ではなく、印刷物で残す。【解決手段】  小さなケースに入れることと、ケースの前面に工夫を持たせることで、慰霊ケースらしくなった。【選択図】図１
2013172938.tif 000002
【特許請求の範囲】
【請求項１】
１．幅が広い前面（１）から見ると、２．直方体、３．もしくは立方体をした立体を形成していて、４．各辺の長さは１０センチメートル以下であり、５．前面（１）の額の内側（２）は、６．中に入れる透明な板状のもの（７）と接しないよう（３）に、７．丸み（４）を帯びた部分があり、前面の各辺が特殊な形（５）で組まれた慰霊ケース。
【請求項２】
１．幅が広い前面（１）から見ると、２．直方体、３．もしくは立方体をした立体を形成していて、４．各辺の長さは１０センチメートル以下であり、５．前面（１）の額の内側（２）は、６．中に入れる透明な板状のもの（７）と接しないよう（３）に、７．丸み（４）を帯びた部分があり、前面の各辺が特殊な形（６）で組まれた慰霊ケース。
【発明の詳細な説明】
【技術分野】
【０００１】  本発明は、ある人が生きていたことの証となる姿を残すためのケースの仕組みの発明の分野に属する。
【背景技術】
【０００２】  従来は、大きな額縁に生前最後のころの写真を入れて、居間などに掛けて置いておいたり、お寺からあちらの名前を頂いて、黒塗りの板に書いて、仏壇に入れておくのが、普通であった。
【発明の開示】
【発明が解決しようとする課題】
【０００３】  場所をとらず、柔らかい感じのする御写真入れ。【０００４】  そこで、場所をとらずに、生前の姿が残るような慰霊ケースができないかを考えた。
【課題を解決するための手段】
【０００５】  その技術は、前面（１）の額の内側（２）を、中に入れる透明な板状のもの（７）と接しないよう（３）に、丸み（４）を帯びさせ、前面の各辺が特殊な形（５）（６）で組むこどで解決した。
【発明の効果】
【０００６】  前面を、縦９ＣＭ、横４．５ＣＭ、後ろ幅１．２ＣＭで製作すると、小さく、内側の丸み（４）が、御写真を引き立たせる感じを持たせる。
【発明を実施するための最良の形態】
【０００７】  適当な大きさは、９．１センチメートルと４．３センチメートルと１．２センチメートルの直方体のケースに入れるのがいいようである。また、各角が丸みを帯びていて漆塗りのケースだと、慰霊ケースらしくてよい。
【実施例】
【０００８】  図１は、発明の全体図である。
【産業上の利用可能性】
【０００９】不定形で無く、形がしっかりしており、御家が続いている御家庭では、必需品になる可能性がある。【００１０】産業上はサービスの手間が増えるが、基礎素材の消費を促し、安定した需要が見込まれると考えられる。
【図面の簡単な説明】
【００１１】
【図１】発明を前側から見た全体図。
【図２】発明を前側から見た全体図。
【図３】幅の狭い側の断面図。
【図４】幅の広い側の断面図。
【符号の説明】
【００１２】１．ケース前側の枠
２．前面（１）の額の内側
３．中に入れる透明な板状のものと接しない様子
４．ケース前面の額の内側の各辺の丸み
５．角のある特殊な込み方
６．丸みのある特殊な込み方
７．ガラスなど
【図１】
2013172938.tif 000003
【図２】
2013172938.tif 000004
【図３】
2013172938.tif 000005
【図４】
2013172938.tif 000006
(57)【要約】      （修正有）【課題】回路に供給される電力量を上げて半導体プロセッサの動作速度を向上させるアーケード形半導体素子を提供する。【解決手段】演算素子一個あたりに電流を供給する為の信号線をタコ足配線、すなわちアーケードを支える支柱のように複数（Ｎ）本にしたものである。これにより、電気抵抗を１／Ｎに減らすことによってヒートダウンを抑え、理論上Ｎ倍の演算速度を持つプロセッサを提供できると共に動作回路の安定性も向上でき更なる高速化ができる。【選択図】図２
2013243328.tif 000002
【特許請求の範囲】
【請求項１】
シリコン基板上に蒸着した上部半導体素子部と、それに信号を入力する為の複数（Ｎ）本の信号線、さらに上部と接合した下部半導体素子部とスイッチング信号を出力伝送する下部信号線を複数（Ｎ’）本設けたアーケード型半導体素子。
【発明の詳細な説明】
【技術分野】
【０００１】  本発明は、半導体プロセッサの動作速度の向上と信頼性を図った半導体素子に関する。
【背景技術】
【０００２】    従来コンピュータの高速化のため、回路の細密化が計られているが、限界に近づきつつ有る。マルチコアプロセッサを代表とする回路構造の工夫と、ソフトウエアのバッチ処理の組み合わせなど色々試みられているが、これらさえも限界に近づきつつ有る。
【発明の概要】
【発明が解決しようとする課題】
【０００３】  以上に述べた半導体プロセッサの動作回路の高周波数化が考えられるが、電力量が増大してヒートダウンによりスイッチング精度が下がり、うまく回路が動作しなく成ると云う課題が有った。【０００４】  本発明は、このような従来の構成が有していた問題を解決しようとするものであり、半導体素子への信号線抵抗を下げることにより、回路に供給される電力量を上げて半導体プロセッサの動作速度を向上させることを目的とするものである。
【課題を解決するための手段】
【０００５】  そして、本発明は上記目的を達成する為に演算素子に電流を供給する為の信号線をタコ足配線、すなわちアーケードを支える支柱のように複数にしたものである。【０００６】  上記の解決手段による作用は次の通りである。すなわち、演算素子への信号線を複数（Ｎ）本にすれば動作部分の電気抵抗が相対的に１／Ｎに減ることによってヒートダウンが抑えられ高速化が計れる。信号線数に応じて素子を大きくすれば理論上動作速度はＮ倍にできる。
【発明の効果】
【０００７】  上述したように本発明のアーケード型半導体素子は、動作回路のヒートダウンを抑えることにより、理論上Ｎ倍の処理機能を持った演算回路を提供できる。【０００８】  また、信号線をループ状に引き回すことで演算回路の安定性が向上し、さらに高速化した演算プロセッサを提供できる。
【図面の簡単な説明】
【０００９】
【図１】本発明の実施形態を示す半導体素子の一例
【図２】同半導体素子の配置例
【発明を実施するための形態】
【００１０】  以下、本発明の実施の形態を図１ならびに図２に基づいて説明する。
【００１１】  図１においては、１はスイッチングの半導体部分で下部の２の相方の半導体部分と接合されている。３および４が信号線で各々複数（Ｎ）本配線されている。
【００１２】  ここで半導体１と２のペアに対する信号線数を多くした場合は、設計上信号線をループ状に引き回し、図２に示すように何カ所かに同じものを分散させて配置する。
【００１３】  以上のように、本実施形態によれば演算プロセッサの高速化と高安定性化が得られるものである。
【産業上の利用可能性】
【００１４】  最新型のマルチコアプロセッサなどの高速プロセッサをさらに高速化出来るばかりでなく、従来の演算プロセッサと互換性を持たせることができれば、ＣＰＵを交換するだけで従来のコンピュータの処理速度をＮ倍以上に引き上げることができる。
【符号の説明】
【００１５】  １  上部半導体素子
２  下部半導体素子
３  上部信号線
４  下部信号線
５  シリコン基板
【図１】
2013243328.tif 000003
【図２】
2013243328.tif 000004
(57)【要約】【課題】  本発明は、トイレットペーパーを引出すことが簡単にできることを特徴とする、トイレットペーパーホルダーを提供する。【解決手段】  トイレットペーパーホルダーは、本体（１）にふた部（２）を設け、ふた部（２）の先端中央に三角状の穴（３）を設け、ふた部（２）の先端中央に山型の吐出部（４）を設け、山型の吐出部（４）の両端部分を残しギザギザ部（５）を設けたことを特徴とする。【選択図】図１
2013052206.tif 000002
【特許請求の範囲】
【請求項１】
トイレットペーパーホルダーは、本体（１）にふた部（２）を設け、ふた部（２）の先端中央に三角状の穴（３）を設け、ふた部（２）の先端中央に山型の吐出部（４）を設け、山型の吐出部（４）の両端部分を残しギザギザ部（５）を設けたことを特徴とするトイレットペーパーホルダー。
【発明の詳細な説明】
【技術分野】
【０００１】  本発明は、トイレットペーパーを引出すことが簡単にできることが特徴で、引出しが簡単で、構造も簡単なトイレットペーパーホルダーの改良に関するものである。
【背景技術】
【０００２】  従来、トイレットペーパーホルダーは、トイレットペーパーを切ると一直線に切れるだけであった。
トイレットペーパーの切れた端は、必ずふたのギザギザ部分内側になり、直ぐにトイレットペーパーの端を摘み引出すことができなかった。
一直線に切れて密着している状態のトイレットペーパーの端は、高齢者や指先の不自由な人には端を摘み引出すことが難しかった。
たとえば、ペーパーホルダー蓋部のほぼ中央に長穴を設け、蓋部先端にカッター部と重り部を設けたことを特徴とする送り出しトイレットペーパーホルダーが提案されていた。（特許文献１参照）
ペーパーを切断した場合に、切り残ったペーパー先端を垂れ下げ、次の人が使うときに摘み易くする。
また、引き出しを終えたペーパーを上方に引上げ操作にて片手にて切断を可能とするものが提案されている。（特許文献２参照）
【先行技術文献】
【特許文献】
【０００３】
【特許文献１】  特開２０１１−１２０８４９号公報
【特許文献２】  特開２０１０−１７５０８号公報
【発明の概要】
【発明が解決しようとする課題】
【０００４】  次のような問題点があった。
トイレットペーパーホルダーは、一直線に切れるだけである。
トイレットペーパーの切れた端は、必ずふたのギザギザ部分内側になり、直ぐにトイレットペーパーの端を摘み引出すことができない。
一直線に切れて密着している状態のトイレットペーパーの端は、高齢者や指先の不自由な人には摘み引出すことが難しい。
本発明は、以上の問題点を解決するためになされたものである。
【課題を解決するための手段】
【０００５】  トイレットペーパーホルダーは、本体（１）にふた部（２）を設け、ふた部（２）の先端の中央に三角状の穴（３）を設け、ふた部（２）の先端中央に山型の吐出部（４）を設け、山型の吐出部（４）の両端部分を残しギザギザ部（５）を設ける。
以上の構成よりなるトイレットペーパーホルダーである。
【発明の効果】
【０００６】  トイレットペーパーを引出す際は、山型の部分に指、たとえば、人差し指等を入れて親指と共に摘みスムーズに引出すことができる。
トイレットペーパーを今までと同様に切ると、トイレットペーパーは山型部分に沿うように切れる。
このため指が入る空間ができ、トイレットペーパーの端を簡単に摘み引出すことができる。
【図面の簡単な説明】
【０００７】
【図１】  本発明のふた部の要部の説明図である。
【図２】  本発明の斜視図である。
【図３】  本発明の正面図である。
【発明を実施するための形態】
【０００８】  以下、本発明の実施の形態について説明する。
トイレットペーパーホルダーは、本体（１）にふた部（２）を設け、ふた部（２）の先端中央に三角状の穴（３）を設け、ふた部（２）の先端中央に山型の吐出部（４）を設け、山型の吐出部（４）の両端部分を残しギザギザ部（５）を設ける。
以上の構成よりなるトイレットペーパーホルダーである。
次に使い方を説明する。
トイレットペーパーホルダーにトイレットペーパー（６）を取り付ける。
トイレットペーパーの端を摘み引出し、通常切るように上方へ引き上げトイレットペーパー（６）を切る。
このようにすると、ふた部（２）に設けている山型の吐出部（４）に沿うように切れるため、次に使う人は、空間ができ、簡単に摘み引出すことができる。
【符号の説明】
【０００９】１  本体
２  ふた部
３  三角状の穴
４  山型の吐出部
５  ギザギザ部
６  トイレットペーパー
【図１】
2013052206.tif 000003
【図２】
2013052206.tif 000004
【図３】
2013052206.tif 000005
(57)【要約】【課題】ほうれい線の表裏から同時に刺激を与え、効果的にマッサージを行なうための補助具を提供する。【解決手段】材質は一例としてＴＰＲを使用し、本体は球形を呈し、表面に多数の小さな突起を設け、中心部には縦に割線を入れる。その反対側には手に持ち、口にくわえる支持部を設け、支持部と球部の境には裂け防止リングを設ける。  未使用時は閉じた状態で球体であるが、口腔内に入れる際には割線から二分され、左右の頬の内側に半球体の本体が留置される。【選択図】図６
2013052201.tif 000002
【特許請求の範囲】
【請求項１】
左右に分かれた球部から構成され、合わせると球体状に成し、その表面には多数の小さな突起を設け、中心部には縦方向に割線を設け、その反対方向に支持部を設けたほうれい線マッサージ補助具。
【発明の詳細な説明】
【技術分野】
【０００１】  本発明は、ほうれい線のマッサージを行なう際に、顔の皮膚表裏両面から同時に刺激を与えるための補助具に関するものである。
【背景技術】
【０００２】  従来、ほうれい線のマッサージを行なう際、十分な刺激を与えることが出来なかった。
【発明の概要】
【発明が解決しようとする課題】
【０００３】  そのために、次のような問題点があった。
（イ）ほうれい線の下には骨などの土台がないので、ほうれい線をマッサージする際、上    からの摩擦（圧力）で口腔内側に押されてしまい（引っ込んでしまい）、シワに十分    な刺激を与えることが出来なかった。
（ロ）ほうれい線の裏側からも同時に刺激することは出来なかった。
本発明は、これらの問題点を解決するためになされたものである。
【課題を解決するための手段】
【０００４】  本体は球体で、表面には多数の小さい突起を設け、中心部には縦方向に割線を設け、その割線の反対側には手に持ち、口にくわえる支持部を設ける。
そして支持部と球部との境には、割線による裂けを防止するストッパーとなるリングを  設ける。
以上の構成よりなる、ほうれい線マッサージ補助具である。
【発明の効果】
【０００５】  両頬内に挿入、留置することにより、ほうれい線が下からしっかり浮きあがり、また土台となり安定する。そのためマッサージする際に、十分なアイロン効果（しわのばし効果）を与えることが出来る。
また、球面の表面の多数の小さな突起が、ほうれい線の裏面からも刺激し、血行促進効果を与えることが出来る。
つまり本発明を留置し、マッサージすることにより、ほうれい線の表裏両面からの同時刺激効果で、ほうれい線を改善出来る。
【図面の簡単な説明】
【０００６】
【図１】  本発明を口腔内に留置しての使用状態を示す正面図。
【図２】  本発明の使用時（開いた状態）の正面図。
【図３】  本発明の使用時（開いた状態）の側面図。
【図４】  本発明の未使用時（閉じた状態）の正面図。
【図５】  本発明の未使用時（閉じた状態）の側面図。
【図６】  本発明の未使用時（閉じた状態）の上部図。
【図７】  本発明を手に持ち前歯に当てた時の側面図。
【図８】  本発明を手に持ち口腔内に留置した時の側面図。
【発明を実施するための形態】
【０００７】  以下、本発明の実施の形態について説明する。
（イ）未使用時は閉じた状態（以下図４〜６を参照）となっている。
（ロ）球部（１）と支持部（２）とで構成されている。
（ハ）球部（１）と支持部（２）との境に、割線からの裂けを防止するリング（３）を設    置。女性が使用するため、デザイン面で花形とした。
（ニ）球部（１）の表面には無数の小さな突起（６）がある。
（ホ）球部（１）の中心部に先端部（４）から縦方向に割線（５）が入っている。
（ヘ）使用時は先端部（４）から割線（５）に沿って開き（図１〜３を参照）半球体に二    分される。
（ト）したがって球面側には突起（６）があり、割線（５）側は平面である。
（チ）材質は一例としてＴＰＲ（ゴム系樹脂で、ソフトで安全、柔軟性がある）を使用す    る。
本発明は以上の構成よりなる。
本発明は未使用時は閉じた状態で球体（図５）であるが、使用する時は支持部（２）を持ち、先端部（４）を前歯に押しつける。先端部（４）は中心部に割線（５）が入っているため、球部（１）は半球体に二分され、両頬内にそれぞれ滑り込んで留置され、支持部をくわえながらマッサージを行なう。
マッサージする際には、両手にクリームが付いているため、頬内側に指を入れたり、本体に触ると口の中にクリームが入ってしまう。そのためＴＰＲの柔軟性を利用し、中心部に割線を入れ、支持部で一本化することにより、片手で支持部を持ち、押したり引いたりするだけで出し入れができるため、クリームが口に入ることはない。また一回の操作で済み、左右一個ずつ出し入れする煩わしさもない。
【符号の説明】
【０００８】１  球部（本体）
２  支持部
３  裂け防止リング
４  先端部
５  割線
６  突起
【図１】
2013052201.tif 000003
【図２】
2013052201.tif 000004
【図３】
2013052201.tif 000005
【図４】
2013052201.tif 000006
【図５】
2013052201.tif 000007
【図６】
2013052201.tif 000008
【図７】
2013052201.tif 000009
【図８】
2013052201.tif 000010
(57)【要約】【課題】狭い場所で機能的にフライする熱源を少くして、油を長くもたすとゆう努力改善をせねばならない【解決手段】タテ型３段にしてその上に揚物バットを置く３段のバットにより浄化され再度使用する５割長もちする事が出来るフライヤーの周囲は二重断熱し保温に努める最上部に横付けされた揚物入れは場所をとらない天プラから出た油は自動的にパイプで槽に落ちる【選択図】図１
2013052215.tif 000002
【特許請求の範囲】
【請求項１】
タテ３段の槽に配置し、その上に電源ＢＯＸ、フライバットを置いてコンパクトに作られた構造で電源は主熱源  補助熱源を有し油槽のまわりは二重保温、断熱材が入っている。
排油はフライヤーの下の真中槽に入りここでロート紙、パンチングアミにより浄化されこされて下段のタメ槽に最後に入る。
そして再度フライヤー槽で使用される、これにより油の耐用は５割方長もちさせる事が出来る電気フライヤー。
【請求項２】
揚物入を上部に横付し、その天プラしずくは油槽の中にタレる。
場所をとらず周囲が油よごれしないようになっている
熱費も３割カットでいける請求項１記載の電気フライヤー。
【発明の詳細な説明】
【技術分野】
【０００１】この発明はタテ３段、構造を有する機能的、且つコンパクトに設計された電気フライヤーに関する。
【背景技術】
【０００２】使用した油を両手でフライヤーバットを引揚げて排油する卓上一槽式電気フライヤーがある。
【先行技術文献】
【特許文献】
【０００３】
【特許文献１】特開２００８−２７２３７９号公報
【発明の概要】
【発明が解決しようとする課題】
【０００４】場所をとらずして機能的で燃費が少なく油の寿命を延ばすフライヤーを提供する事を目的とする。
【課題を解決するための手段】
【０００５】タテ３段構造になって、その上に横付されたフライヤーバットがある
排油はバルブをひねると２段目槽におちる。
底にロート紙とパンチングこしアミを敷いたくぼみがありそこで浄化される。
３段目の下槽に留めて再度使用する
フライヤーの底にはパンチング板がありその下に熱源が走っている
補助熱源と主熱源がある。
【発明の効果】
【０００６】油の寿命を５割方延ばす事が出来る
熱費は３割減らす事が出来る。
【図面の簡単な説明】
【０００７】
【図１】は立体的電気フライヤー正面図。
【図２】電気フライヤー側面図。
【図３】上部フライヤー固定槽。
【図４】２段目（中段）油こし槽スライド式。
【図５】３段目浄化油留め槽（スライド式）の平面図。
【図６】同正面図
【発明を実施するための形態】
【０００８】図１は全体図であるが符号７でフライする
パンチング１０の下には熱源２が配置されており細かいカスは１０でたまる
油はよごれると３のバルブをひねり中間槽に入る。
その下部に取付けたロート紙によってこされる。
【０００９】図４の１２はロート紙のおさえである
【０００１０】図２はフライヤーの側面図で立体的な構造で上から順次機能する。
下段９の槽に浄化した油が留まり図３の７に移される。
【００１１】図５下部留槽片口付になって移しやすい、構造になっている。
１６で引出し１５で持上げて斜むける。
【００１２】図１の６は電源収納ＢＯＸでここから下向いておりて槽に入る。
１１はフライヤーバットで揚物を入れる。場所をとらない
【符号の説明】
【００１３】  １、上部フライヤーの周囲の断熱材による断熱
２  熱源パイプ
３  排油パイプ
４、中間槽下部に取付られた油こしロート紙入れ槽
５、スライド式メクラ板
６、熱源パイプのえ熱源パイプ収納ボックス
７  上部固定フライヤー
８  ２段目排油受
９  ３段目浄化油バット受
１０  フライヤー底パンチング受
１１  フライヤー揚物入バット
１２  ロート紙押え
１３  浄化油受バット上面図片口
１４  浄化油受バット上面図
１５  浄化油受バット持上手
１６  浄化油受バット引出し持手
１７  浄化油バット片口正面図
【図１】
2013052215.tif 000003
【図２】
2013052215.tif 000004
【図３】
2013052215.tif 000005
【図４】
2013052215.tif 000006
【図５】
2013052215.tif 000007
【図６】
2013052215.tif 000008
(57)【要約】【課題】長期に渡りキャップの着脱を繰り返し行っても、軸筒を保持する薄板金属からなる装着補助部材が、軸筒の表面を傷つけ難い構造の筆記具用キャップの装着補助部材を得ることである。【解決手段】薄板金属からなり前方円筒部１ａと後方円筒部１ｂとの間を短冊状で内方に膨出する弾性部１ｄを介して連接した筆記具用キャップの装着補助部材１であって、前記装着補助部材１の表面に、四フッ化エチレン樹脂と変性エポキシ樹脂からなる塗膜を設ける。【選択図】図１
2013052589.tif 000002
【特許請求の範囲】
【請求項１】
薄板金属からなり前方円筒部と後方円筒部との間を短冊状で内方に膨出する弾性部を介して連接した筆記具用キャップの装着補助部材であって、該装着補助部材の表面に、四フッ化エチレン樹脂と変性エポキシ樹脂からなる塗膜を設けた構造の筆記具用キャップの装着補助部材。
【発明の詳細な説明】
【技術分野】
【０００１】
本発明は、薄板金属からなり、弾性を有する膨出部でキャップに装着した軸筒を保持する筆記具用キャップの装着補助部材に関する。
【背景技術】
【０００２】
従来より、一部の高級感の強い筆記具、例えば万年筆等では、キャップ本体の内面に薄板金属からなる装着補助部材（いわゆるバネカツラ）を取り付け、当該装着補助部材に設けた弾性部で筆記具の軸筒を保持してキャップを装着する構造が知られている。一般的に装着補助部材は平板状の薄板金属で形成されており、キャップ本体の内面に密着するように丸めた円筒部と、薄板金属の一部を切欠いて、切り残った部分を円筒部の内方に向かって短冊状に膨出させた弾性部とを有したものである。尚、装着補助部材は、キャップ本体の内面に対して、薄板金属である装着補助部材を丸めた時の弾性復元力により弾発して固定してある。
【０００３】
ところで、前述の装着補助部材は、材質が金属であることから、キャップを装着する軸筒の表面に傷がつき易く、これを解決するために従来では、実開平１−１０４３８７号公報（特許文献１）や実開平３−９０９９１号公報（特許文献２）に記載があるように、金属である装着補助部材の表面にフッ素系樹脂のコーティングや樹脂塗料の塗層を設け、軸筒の表面と装着補助具との摩擦を低減させて、軸筒の表面に傷が生じないようにしていた。
【０００４】
しかしながら、前述の方法でも、キャップの着脱を繰り返し行っている内に、摩擦で装着補助部材の表面からフッ素系樹脂や樹脂塗料が剥がれ落ち易いという問題があった。
【先行技術文献】
【特許文献】
【０００５】
【特許文献１】実開平１−１０４３８７号公報
【特許文献１】実開平３−９０９９１号公報
【発明の概要】
【発明が解決しようとする課題】
【０００６】
本発明の目的は、長期に渡りキャップの着脱を繰り返し行っても、装着補助部材が軸筒の表面を傷つけ難い構造の筆記具用キャップの装着補助部材を得ることである。
【課題を解決するための手段】
【０００７】
本発明は、
「薄板金属からなり前方円筒部と後方円筒部との間を短冊状で内方に膨出する弾性部を介して連接した筆記具用キャップの装着補助部材であって、該装着補助部材の表面に、四フッ化エチレン樹脂と変性エポキシ樹脂からなる塗膜を設けた構造の筆記具用キャップの装着補助部材。」である。
【０００８】
本発明における塗膜は、四フッ化エチレン樹脂と変性エポキシ樹脂とを配合した潤滑層であり、具体的には、サンエス潤滑株式会社製のサンコート（商品名）型番ＦＲ＃３Ｂ０により塗膜を設けることが好ましく、少なくとも弾性部の内側面に設けることが肝要である。
【発明の効果】
【０００９】
本発明では、四フッ化エチレン樹脂と変性エポキシ樹脂からなる塗膜の滑り性が優れていることから、装着補助部材の表面から塗膜が剥がれ難く、長期に渡りキャップの着脱を繰り返し行っても軸筒の表面が傷つき難い構造の装着補助部材を得ることができた。また四フッ化エチレン樹脂と変性エポキシ樹脂からなる塗膜は、薄板金属からなる装着補助部材にインキが付着した場合にも、インキによる腐蝕を防止することができるという効果が得られる。
【図面の簡単な説明】
【００１０】
【図１】図１は、本実施例の装着補助部材の斜視図である。
【図２】図２は、本実施例の装着補助部材を内面に取り付けたキャップの断面と、万年筆の前方部を示す図である。
【図３】図３は、キャップに万年筆を装着した状態を示す図である。
【発明を実施するための形態】
【００１１】
本発明の実施の形態を図で説明する。本実施の形態では、万年筆のキャップについて説明を行うが、本発明の装着補助部材は、万年筆のキャップに限定されるものではない。同じ部材、同じ箇所を示す場合は同じ符号を付してある。
【００１２】
図１に示す本実施例の装着補助部材１は、薄い平板状のステンレス板を丸めて形成した前方円筒部１ａと後方円筒部１ｂ、薄板金属に複数の窓部１ｃを切り欠いて、切り残った部分を前方円筒部１ａと後方円筒部１ｂの内方に向かって短冊状に膨出させた弾性部１ｄとを有しており、弾性部１ｄを介して前方円筒部１ａと後方円筒部１ｂとを連接させた構造である。本実施例の装着補助部材１は、薄い平板状のステンレス板を丸めた際に軸心に沿って生じる隙間１ｅを設けてある。
【００１３】
また、本実施例の装着補助部材１の各弾性部１ｄの内側面１ｆには、図示しないが四フッ化エチレン樹脂と変性エポキシ樹脂とを配合した塗膜（サンエス潤滑株式会社製のサンコート（商品名）型番ＦＲ＃３Ｂ０）を設けてある。
【００１４】
図２は、キャップ本体２に装着補助部材１を取り付けたキャップ２０の断面と、万年筆３０の前方部を示している。図２に示すキャップ２０は、キャップ本体２の内部に中子２１を圧入して配設してあり、クリップ２２の基部２２ａを、先端部に配設した頭冠２３と中子２１との間に介在させ、頭冠２３に形成した雄螺子部２３ａと中子２１の先端部に形成した雌螺子部２１ａとで螺子嵌合して固定してある。またキャップ本体２の開口部２ａ側の内面には、装着補助部材１を、円筒状に丸めて隙間１ｅを狭めた状態の弾性復元力により前方円筒部１ａおよび後方円筒部１ｂをキャップ本体２の内面に弾発させて、固定してある。
【００１５】
図３に示すように装着補助部材１は、キャップ２０に万年筆３０を装着した状態で、装着補助部材１の弾性部１ｄにて万年筆３０の首３０ａを弾発して保持することができ、各弾性部１ｄの内側面１ｆに四フッ化エチレン樹脂と変性エポキシ樹脂とを配合した塗膜を設けてあることから滑り性がよく、キャップ２０に万年筆３０を装着し易く、また万年筆３０の首３０ａに傷が付き難く、また長期に渡り万年筆３０へのキャップ２０の着脱を繰り返し行っても、首３０ａの表面を傷つけることがなかった。
【産業上の利用可能性】
【００１６】
本願発明の装着補助部材は、筆記具のキャップ以外にも、化粧具や塗布具等におけるキャップに使用することができる。
【符号の説明】
【００１７】
１…装着補助部材、１ａ…前方円筒部、１ｂ…後方円筒部、
１ｃ…窓部、１ｄ…弾性部、１ｅ…隙間、１ｆ…内側面、
２…キャップ本体、２ａ…開口部、
２０…キャップ、２１…中子、２１ａ…雌螺子部、
２２…クリップ、２２ａ…基部、２３…頭冠、２３ａ…雄螺子部、
３０…万年筆、３０ａ…首。
【図１】
2013052589.tif 000003
【図２】
2013052589.tif 000004
【図３】
2013052589.tif 000005
(57)【要約】【課題】  聴力が衰えた高齢者、話すのに不便を感じる人、および聴覚障害者等の人が、単独または、介助者とともに外出して、病院、利用施設、および公共施設等で関係者と面談する際は、大声で話すか、メモ紙で筆談していた。しかし必ずしも意思伝達が出来ていなかった。書き消し出来るホワイトボードも有るが、書いて、伝達、消すの一連作業のため、筆談が途切れるために確実に意思伝達ができていなかった。ホワイトボードは、単一平面で書面が大きく、外出時の持ち運びは、特に高齢者、障害を持つ人にとっては不便である、しかも相手方が持っているとは限らない。【解決手段】  筆談する筆記面の大きさを手のひら大にしたホワイトボードシートを複数枚を綴じて、捲り、戻しが簡便に出来る構造の筆談ブックを複数冊と筆記具等を収納して携帯出来る構成としている。面談時にこれらを使用することで双方の意思を確認、承諾できるコミュケ―ションツールとした。【選択図】図１
2013052587.tif 000002
【特許請求の範囲】
【請求項１】
収納バックと結合している筆談ブック、相手方の筆談ブック複数個、筆記具のホワイトボードマーカーを複数個、および字を消去するイレイザーシート等を一括収納する携帯式筆談器具。および、楽に持ち運びするために体から吊り下げるコード類で構成する携帯式筆談器具。
【請求項２】
ＡＢＳ樹脂硬質ブラスチック、厚紙等を下敷きとするボードと交換可能なホワイトボード筆談シートを複数枚重ねて、単穴リングで綴じて、面談時に筆談面を捲り、戻しながら筆談することを特徴とする筆談ブック。  
【請求項３】
下敷きボードをなくして、ＡＢＳ樹脂等の硬質ブラスチック、厚紙等の両面にホワイトボードシートを貼り合せた交換可能な筆談シートを複数枚重ねて、単穴リングで綴じて、面談時に筆談面を捲り、戻しながら筆談することを特徴とする筆談ブック。  
【発明の詳細な説明】
【技術分野】
【０００１】
本発明は、聴力が衰えた高齢者、話すのに不便を感じる人、および聴覚障害者等の人と介助者、一般の人が、外出先の公共施設、公園等に於いて、相互の情報伝達確認の手段として必要な筆談器具に関するものである。
【背景技術】
【０００２】
従来の意思伝達は、大声で話す、耳のそばで話す、およびメモ用紙を利用していたが、相互の意思が必ずしも伝達していなかった。
【先行技術文献】
【特許文献】
【０００３】
【特許文献１】特開２００７−８３４０６公報
【発明の概要】
【発明が解決しようとする課題】
【０００４】
本発明は、以上のような従来の欠点を鑑み、外出先でも相互に意思確認できる手段として、書いて消せるホワイトボードシート等をコンパクトにブック方式にするとともに、筆談に必要な文具類を備えた筆談器具を提供することとする。
【課題を解決するための手段】
【０００５】
上記課題を達成するために、本発明は連絡用などに使われるいる樹脂コーティングしたホワイトボードと同質のホワイトボードシートの複数枚とＡＢＳ樹脂等の下敷きボードをリング1本で組み合せた筆談ブックを複数冊、筆記具のホワイトボードマーカーを複数個、および字を消去するイレイザーシート等を組合せて、収納バックに収納するようにしたこと、ネックストラップ等で持ち運びが楽に出来るようにしたものである。
【発明の効果】
【０００６】
聴力低下した高齢者、聴覚障害者等の人が外出先に於いて、介助者、一般者等とお互いの考えが簡潔に理解出来る、最良のコミュニケーションツールである。
【図面の簡単な説明】
【０００７】
【図１】本発明を実施するための携帯式筆談器具の構成を示す斜面図。
【図２】本発明による、両面方式の筆談ブックの形態を示す斜視図
【発明を実施するための形態】
【０００８】
以下、この発明の実施形態を図１に基づいて説明する。
【０００９】
図１に示すように、ホワイトボードシート１ａの複数枚と下敷きとするボード１ｂをブック用リング１ｃ1本で組み合せた筆談ブック１は、紛失しないように結合リング６等で収納ケース４と結合している。ホワイトボードマーカー２、イレイザーシート３は、収納バック４の内ポケット４ａに収納整理ができ、携帯できる構造を有している。また相手方用の筆談ブック７は、筆談時に手渡しするために収納バック４と結合していない。外出時に収納バック４に入れた筆談ブック１などが、落下、紛失しいように収納バック４の開口部をファスナー、ホック等で開閉出来る構造としている。  また、ネックトラップ等の吊り下げコード５で楽に持ち運びが出来る吊り下げる方式にも可能にしている。
【実施例】
【００１０】
本発明の利用実施を具体的に説明する。聴力が衰えた高齢者、話すのに不便を感じる人、および聴覚障害者等の人が、外出先の病院、利用施設、公園、および公共施設等で関係者と面談する際に、この携帯式筆談器具の筆談ブックを使用して筆談が出来る。この筆談で使用するホワイトボードシートが複数枚重なっているため書き取った文書を消すことなく筆談が進み、前記した文面を戻し確認することも出来て、同席の介助者、関係者間の意思伝達が確実にできる。
【産業上の利用可能性】
【００１１】
本発明は聴力低下者、聴覚難聴者等の人だけでなく、関係する病院、利用施設、および公共施設等で利用される。
【００１２】
聴力困難者、聴覚障害者等が、参加する会議、競技会等で支援するスタッフ、およびその会議、競技会を運営する関係者が、相互のコミュニケ―ションのツールとして利用される。
【符号の説明】
【００１３】
１．  筆談ブック
１ａ．  ホワイトボードシート
１ｂ．  下敷きボード
１ｃ．  ブック用リング
２．  ホワイトボードマーカ
３．  イレイザーシート
４．  収納バック
４ａ．  収納バック内ポケット
５．  ネックトラップ等の吊り下げコード
６．  結合リング
７．  相手方用筆談ブック
８．  両面式筆談ブック
8a.  ボード
8b.  正面用ホワイトボードシート
8c.  背面用ホワイトボードシート
8d.  結合リング
【図１】
2013052587.tif 000003
【図２】
2013052587.tif 000004